(57)【要約】【課題】ケーシング内に投入の汚染土壌を、ケーシング内に装着の紛砕部を回転させながら細かく紛砕し、汚染土壌に付着のトリクルエチレン及び重金属等の人体に有害な物質を除去する汚染物質分離機を提供する。【解決手段】投入シュート部及び取出口を有する中空状ケーシング内に、モーターによって駆動するシャフトを軸着し、前記シャフトの外周に汚染土壌を紛砕する紛砕部を複数取着せしめた。前記紛砕部が、前記シャフトに取着したピンに、小さなリング状のチェーン部材を複数接続せしめたチェーンとする。【選択図】　　図１
2004050118.tif 000002
【特許請求の範囲】
【請求項１】
投入シュート部及び取出口を有する中空状ケーシング内に、モーターによって駆動するシャフトを軸着し、前記シャフトの外周に汚染土壌を紛砕する紛砕部を複数取着せしめたことを特徴とする汚染土壌の汚染物質分離機。
【請求項２】
前記紛砕部が、前記シャフトに取着したピンに、小さなリング状のチェーン部材を複数接続せしめたチェーンとすることを特徴とする請求項１記載の汚染土壌の汚染物質分離機。
【請求項３】
前記紛砕部が、前記シャフトの外周に、スクリュー状にして、且所定間隔おきに、複数取着せしめたことを特徴とする請求項１又は請求項２記載の汚染土壌の汚染物質分離機。
【請求項４】
前記紛砕部の長さが、先端部が前記ケーシングの内側面に接触する程度にて形成することを特徴とする請求項１又は請求項２又は請求項３記載の汚染土壌の汚染物質分離機。
【請求項５】
前記シャフトが、断面が円形状とすることを特徴とする請求項１又は請求項２又は請求項３又は請求項４記載の汚染土壌の汚染物質分離機。
【請求項６】
投入シュート部及び取出口を有する中空状ケーシング内に、モーターによって駆動するシャフトの外周に、接触することなく、且スクリュー状に一端部が接続する複数の紛砕部を取着せしめた紛砕グループ機構を、複数並列状にケーシング内に装着せしめたことを特徴とする汚染土壌の汚染物質分離機。
【請求項７】
前記混練グループ機構が、縦列状態にしたことを特徴とする請求項６記載の汚染土壌の汚染物質分離機。
【請求項８】
前記ケーシングの底部に貯溜の分離した土壌を、振動状態にして搬送を促進させる振動モータを装着せしめたことを特徴とする請求項１又は請求項２又は請求項３又は請求項４又は請求項５又は請求項６又は請求項７記載の汚染土壌の汚染物質分離機。
【発明の詳細な説明】
【０００１】
【発明の属する技術分野】
本発明は、ケーシング内に投入の汚染土壌を前記ケーシング内に装着の紛砕部を回転させながら、前記汚染土壌を細かく紛砕せしめると同時に、汚染土壌に付着していた揮発性を有するトリクルエチレン及び重金属等の人体に有害な物質を除去させて、汚染土壌から有害物質を分離せしめる汚染物質の分離機の技術分野に関するものである。
【０００２】
【従来の技術】
従来汚染土壌内に浸透し土壌に付着している人体に有害な汚染物質を土壌から分離する分離手段としては、水を入れた水槽内に汚染土壌を投入して、前記汚染土壌を細かく打ち砕いて小石、砂利等にしたものを、洗浄分離する工程の段階で、土壌内に浸透し付着の人体に有害な汚染物質を分離除去する洗滌式分離手法が採用されている。
【０００３】
【発明が解決しようとする課題】
本発明は、土壌内に浸透している汚染物質を空気と水を使用し、前記汚染土壌をケーシング内に投入して高速回転する紛砕手段を介して細かく紛砕しながら、すでに浸透し付着している人体に有害な前記汚染物質を除去せしめ、前記汚染土壌から汚染物質を含有しない正常な土壌に改良せしめるようにした。
【０００４】
さらに本発明の汚染土壌分離機は、汚染土壌から汚染物質を極めて容易に分離させ、従来のような汚染物質を分離していた分離費用よりも著しく節減せしめた。
【０００５】
また本発明の汚染土壌分離機は、チェーン等の紛砕部を回転させながら紛砕するようにして、土壌に対する紛砕角度を自由自在に変化させ紛砕を可能にして、土壌を構成する小石、砂利等に付着していた汚染物質を確実に且迅速に空気に触れさせ除去させるようにした。
【０００６】
【課題を解決するための手段】
請求項１記載の発明は、投入シュート部及び取出口を有する中空状ケーシング内に、モーターによって駆動するシャフトを軸着し、前記シャフトの外周に汚染土壌を紛砕する紛砕部を複数取着せしめたことを特徴とする汚染土壌の汚染物質分離機である。
【０００７】
請求項２記載の発明は、前記紛砕部が、前記シャフトに取着したピンに、小さなリング状のチェーン部材を複数接続せしめたチェーンとすることを特徴とする請求項１記載の汚染土壌の汚染物質分離機である。
【０００８】
請求項３記載の発明は、前記紛砕部が、前記シャフトの外周に、スクリュー状にして、且所定間隔おきに、複数取着せしめたことを特徴とする請求項１又は請求項２記載の汚染土壌の汚染物質分離機である。
【０００９】
請求項４記載の発明は、前記紛砕部の長さが、先端部が前記ケーシングの内側面に接触する程度にて形成することを特徴とする請求項１又は請求項２又は請求項３記載の汚染土壌の汚染物質分離機である。
【００１０】
請求項５記載の発明は、前記シャフトが、断面が円形状とすることを特徴とする請求項１又は請求項２又は請求項３又は請求項４記載の汚染土壌の汚染物質分離機である。
【００１１】
請求項６記載の発明は、投入シュート部及び取出口を有する中空状ケーシング内に、モーターによって駆動するシャフトの外周に、接触することなく、且スクリュー状に一端部が接続する複数の紛砕部を取着せしめた紛砕グループ機構を、複数並列状にケーシング内に装着せしめたことを特徴とする汚染土壌の汚染物質分離機である。
【００１２】
請求項７記載の発明は、前記混練グループ機構が、縦列状態にしたことを特徴とする請求項６記載の汚染土壌の汚染物質分離機である。
【００１３】
請求項８記載の発明は、前記ケーシングの底部に貯溜の分離した土壌を、振動状態にして搬送を促進させる振動モータを装着せしめたことを特徴とする請求項１又は請求項２又は請求項３又は請求項４又は請求項５又は請求項６又は請求項７記載の汚染土壌の汚染物質分離機である。
【００１４】
【発明の実施の形態】
請求項１〜８に記載の発明に関する実施の形態は、共通しているので以下のとおり一括して説明する。
【００１５】
図面において、１は本発明汚染土壌の汚染物質分離機ａを構成する通常断面が円形状のケーシングである。なお下記のとおり、若干変形した形状の場合もある。
【００１６】
２は前記ケーシング１の所定個所、例えば上方部に設けた空気送り込み部である。３は紛砕された土壌の小石、砂利等を取出す取出口、４は汚染土壌に付着していた揮発性を有する有害物質（トリクルエチレン等）を吸引処理する吸引処理部、５は吸引ポンプ、６は吸引口部、７は吸引用パイプである。
【００１７】
前記ケーシング１内に放出された有害物質は、吸引ポンプ５によって前記吸引口部６から吸引処理部４によって吸引処理される。
【００１８】
８はケーシング１の上方部に設けた汚染土壌投入シュート部である。９は前記ケーシング１内の中心部にして、且通常水平状に両端部を軸着せしめるシャフトである。このシャフト９は、通常断面が円形状のものを使用する。
【００１９】
１０は前記シャフト９の外周に取着した紛砕部である。この紛砕部１０は、シャフト９に、直接接続するか、あるいは前記シャフト９に取着したピン１１を介してチェーン１２を複数接続して形成してもよい。チェーン１２の接続数量は限定しない。前記紛砕部１０のピン１１は、前記シャフト９の同一線上の外周部ではなく、螺旋軌道を画きながら、且取着個所が通常１２０°の間隔の軌道上の部位に取着する。１２０°の角度毎に前記ピン１１を取着せしめたので、前記ピン１１に接続せしめたチェーン１２が回転しても、チェーン１２同士が接触しない。なお１２０°の角度は限定しない。さらに前記チェーン１２の他端部は、チェーン１２が延びきったときに、前記ケーシング１の内側面に接触するか、しない程度の長さである。
【００２０】
また前記チェーン１２の形状については限定しない。
【００２１】
前記チェーン１２を接続した前記シャフト９は、モーターチェーン１３による回転手段によって回転（１分間に約３０〜５００回転とする。）すると、投入された１トンの汚染土壌等に対し、３００リットルの水が水送り込部１６より注入されながらチェーン１２によって紛砕され、次の所定の位置が例えば１２０°の位置に取着のチェーン１２によって、前記土壌の中、前記チェーン１２によって紛砕された別の個所の土壌部分が紛砕される。
【００２２】
以上のように回転するチェーン１２が、投入土壌全体の部位を変化させながら徐々に紛砕する。そして各チェーン１２同士が回転中に接触したり、からみあったりしないので、チェーン１２が損傷しない。
【００２３】
さらに投入土壌は、ケーシング１内において、前記チェーン１２によって紛砕されながら、前記シャフト９に螺旋状にピン１１に取着のチェーン１２によって紛砕されながら順次搬送されるが、その際形状が異なる土壌の固まりがケーシング１の内側面付近に移動しても、前記チェーン１２の中、先端部寄りのチェーン１２の一部が若干折曲状態となって、前記土壌を紛砕する。そのため、チェーン１２にかかる負荷が調節され、チェーン１２が損傷しない。
【００２４】
前記のように投入された汚染土壌は、前記シャフト９を中心に回転する前記各チェーン１２によって、紛砕部位を変化させながら紛砕されるが、その際前記土壌を構成する小石、砂利等の表面に付着している有害物質が揮発性を有しているため、処理装置から排出される。
【００２５】
前記のように放出された有害物質は、吸引ポンプ５によって吸引口部６より吸引処理部４に吸引される。
【００２６】
また前記チェーン１２は、図面図示のとおり、複数のチェーン部材を接続せしめ形成する。そして前記チェーン１２の形状については限定しない。
【００２７】
前記のようにチェーン１２の本数を増加させると、土壌に対し短時間で細かく紛砕する。そして前記紛砕によって、土壌を構成する小石、砂利等に浸透し、且付着している前記有害物質が処理装置から排出され、排出後はクリーンな土壌として再生できる。
【００２８】
１３はモータチェーン、１４はモーター、１５はカバーである。
【００２９】
前記ケーシング１の底部に振動モーターを装着する。このモーターは紛砕されクリーンとなった土壌を、前記チェーン１２の回転によって徐々に取出口３の方向に搬送させる。
【００３０】
さらに本発明は、シャフト９を２本もしくは２本以上のものを並列状態に並べて使用することもできる。この場合ケーシング１の形状は、断面が円形状ではなく、楕円形状となる。
【００３１】
そして、前記各シャフト９に取着するチェーン１２も、シャフト９の回動時において、接触しないように取着する。
【００３２】
また本発明は、シャフト９を積重して縦列状態とすることもできる。この場合もチェーン１２同士が接触しないように取着する。
【００３３】
そして前記の縦列するシャフト９は、前記ケーシング１の形状も縦形の楕円形状となる。
【００３４】
前記のように前記シャフト９及び各チェーン１２が、横に並列しても、積重して縦形に並列しても、投入された土壌を確実に紛砕できる。
【００３５】
そして前記複数のシャフト９を使用するときも、前記ケーシング１の底部に振動モーターを装着して、前記チェーン１２によって紛砕された土壌となった小石、砂利等の搬送スピードを著しく高める。
【００３６】
本発明は、前記シャフト９が装着されているケーシング１を所定の角度で傾斜させ固定し、シャフト９を回転してもよい。
【００３７】
本発明を構成する先端部のチェーン１２と、ケージング１の内面との間に、異物が挾み込まれても、先端のチェーンが折曲して前記異物を除去できる。従って前記異物のために、前記チェーン１２が損傷したりしない。
【００３８】
さらに、シャフト９を内蔵するケーシング１は、図１において左側方を高くしたり、あるいは右側方を高くしたりして使用することができる。
【００３９】
また本発明は、汚染物質が揮発性を有する場合に熱風を送込んで乱流撹拌して分離させてもよい。
【００４０】
【発明の効果】
請求項１記載の発明は、水平もしくは若干傾斜状に並列せしめたケーシング中心部位に、螺旋状に投入シュート部及び取出口を有する中空状ケーシング内に、モーターによって駆動するシャフトを軸着し、前記シャフトの外周に汚染土壌を紛砕する紛砕部を複数取着せしめた汚染土壌の汚染物質分離機なので、分離のコストも著しく節減できた。
【００４１】
さらに本発明は、汚染土壌から短時間で土壌中に侵入浸透している有害物質を短時間で除去できる利点がある。
【００４２】
また本発明は、汚染土壌内に浸透している有害物質を空気を注入しながら、確実に吸引させることができると共に、クリーンになった分解土壌を再利用できる利点を有している。
【００４３】
請求項２記載の発明は、前記紛砕部が、前記シャフトに取着したピンに、小さなリング状のチェーン部材を複数接続せしめたチェーンとする汚染土壌の汚染物質分離機なので、請求項１記載の発明と同じ効果を有している。
【００４４】
請求項３記載の発明は、前記紛砕部が、前記シャフトの外周に、スクリュー状にして、且所定間隔おきに、複数取着せしめた汚染土壌の汚染物質分離機なので、請求項１記載の発明と同じ効果を有している。
【００４５】
請求項４記載の発明は、前記紛砕部の長さが、先端部が前記ケーシングの内側面に接触する程度にて形成する汚染土壌の汚染物質分離機なので、請求項１記載の発明の効果と、さらに紛砕部が破損しない利点を有している。
【００４６】
請求項５記載の発明は、前記シャフトが、断面が円形状とする汚染土壌の汚染物質分離機なので、請求項１記載の発明の効果と、シャフトに紛砕部の取付けがきわめて容易である。
【００４７】
請求項６記載の発明は、投入シュート部及び取出口を有する中空状ケーシング内に、モーターによって駆動するシャフトの外周に、接触することなく、且スクリュー状に一端部が接続する複数の紛砕部を取着せしめた紛砕グループ機構を、複数並列状にケーシング内に装着せしめた汚染土壌の汚染物質分離機なので、請求項１記載の発明の効果と、大量の汚染土壌を投入して、汚染物質を分離できる利点を併有している。
【００４８】
請求項７記載の発明は、前記混練グループ機構が、縦列状態にした汚染土壌の汚染物質分離機なので、請求項６記載の発明と同じ効果がある。
【００４９】
請求項８記載の発明は、前記ケーシングの底部に貯溜の分離した土壌を、振動状態にして搬送を促進させる振動モータを装着せしめた汚染土壌の汚染物質分離機なので、分離してクリーンとなった土壌の成分である小石、砂利等の搬送スピードを促進できる。
【図面の簡単な説明】
【図１】本発明汚染土壌の汚染物質分離機の縦断正面図である。
【図２】同分離機の平面図である。
【図３】同右側面図である。
【図４】同要部の拡大縦断側面図である。
【符号の説明】
ａ　　　　汚染物質分離機
１　　　　ケーシング
２　　　　空気送り込み部
３　　　　取出口
４　　　　吸引処理部
５　　　　吸引ポンプ
６　　　　吸引口部
７　　　　吸引用パイプ
８　　　　シュート部
９　　　　シャフト
１０　　　紛砕部
１１　　　ピン
１２　　　チェーン
１３　　　モーターチェーン
１４　　　モーター
１５　　　カバー
１６　　　水送り込部
【図１】
2004050118.tif 000003
【図２】
2004050118.tif 000004
【図３】
2004050118.tif 000005
【図４】
2004050118.tif 000006